(57)【特許請求の範囲】
【請求項１】
透明樹脂板製のパーテーション本体と、パーテーション本体の後端部が組み付けられる支持フレームを備え、遊技機島に設置されている隣接する遊技機と遊技機との間に支持フレームを固定することにより遊技機島に設置される遊技機島用パーテーションであって、
前記支持フレームが遊技機島に固定されるベースフレームと、ベースフレームに立設した２本の縦フレームを備え、
２本の縦フレームでパーテーション本体の後端部が着脱可能に嵌合する縦溝を区画形成し、
パーテーション本体の後端部及び両縦フレームのそれぞれに、少なくとも上下２箇所の貫通穴を形成し、
パーテーション本体の後端面からパーテーション本体の後端部の一方の貫通穴に達するスリットを形成し、
両縦フレームの一方の貫通穴の間にピンを固定し、
両縦フレームの一方の貫通穴の間に固定したピンを、スリットを通しパーテーション本体の後端部の一方の貫通穴に挿通し、
パーテーション本体の後端部の他方の貫通穴と両縦フレームの他方の貫通穴に縦フレームの外側からピンを挿通し、
パーテーション本体の後端部の貫通穴と両縦フレームの貫通穴を貫通するピンでパーテーション本体を支持フレームに組み付けるようにしたことを特徴とする遊技機島用パーテーション。
【発明の詳細な説明】
【技術分野】
【０００１】
本発明は遊技機島に設置する透明樹脂板製の遊技機島用パーテーションに関する。
【背景技術】
【０００２】
近時、遊技機島に列設されている隣接する遊技機と遊技機との間に透明なアクリル樹脂板製のパーテーションを設置した遊技場が出現している。隣接する遊技機と遊技機の間にパーテーションを設置すると、隣の遊技機の音声が直接伝わらないので、遊技者が隣の音声に煩わされることなく、遊技に集中できる。また、隣の遊技者の不快なタバコの煙を遮断できる。一方、パーテーションは透明であるので、遊技者の不正行為の発見が可能であり、遊技者の不正を助長するおそれはない。
【先行技術文献】
【特許文献】
【０００３】
【特許文献１】引用なし
【発明の概要】
【発明が解決しようとする課題】
【０００４】
上述した従来の遊技島用パーテーションは、遊技機島を新築する際に設置するのが一般的であるが、既存の遊技機島に新たに設置することもある。既存の遊技機島に遊技機島用パーテーションを設置する場合、遊技機島から各遊技機を一旦取り外さなければならず、遊技機島用パーテーションの設置作業のコストが高くなるという問題点がある。
本発明はかかる問題点に鑑み、既存の遊技機島に低コストで簡単に設置できる遊技機島用パーテーションを提供することを目的とする。
【課題を解決するための手段】
【０００５】
本発明は、透明樹脂板製のパーテーション本体と、パーテーション本体の後端部が組み付けられる支持フレームを備え、遊技機島に設置されている隣接する遊技機と遊技機との間に支持フレームを固定することにより遊技機島に設置される遊技機島用パーテーションであって、
前記支持フレームが遊技機島に固定されるベースフレームと、ベースフレームに立設した２本の縦フレームを備え、
２本の縦フレームでパーテーション本体の後端部が着脱可能に嵌合する縦溝を区画形成し、
パーテーション本体の後端部及び両縦フレームのそれぞれに、少なくとも上下２箇所の貫通穴を形成し、
パーテーション本体の後端面からパーテーション本体の後端部の一方の貫通穴に達するスリットを形成し、
両縦フレームの一方の貫通穴の間にピンを固定し、
両縦フレームの一方の貫通穴の間に固定したピンを、スリットを通しパーテーション本体の後端部の一方の貫通穴に挿通し、
パーテーション本体の後端部の他方の貫通穴と両縦フレームの他方の貫通穴に縦フレームの外側からピンを挿通し、
パーテーション本体の後端部の貫通穴と両縦フレームの貫通穴を貫通するピンでパーテーション本体を支持フレームに組み付けるようにしたことを特徴とする。
【発明の効果】
【０００６】
本発明に係る遊技機島用パーテーションを遊技機島に設置するには、遊技機島にベースフレームを固定し、固定したベースフレームの縦溝にパーテーション本体の後端部を嵌合し、パーテーション本体の後端部の貫通穴と両縦フレームの貫通穴を貫通するピンでパーテーション本体を支持フレームに組み付ける。
請求項１に記載の発明によれば、支持フレームを遊技機島に固定する作業と、固定した支持フレームの貫通穴とパーテーション本体の後端部の貫通穴にピンを挿通する作業によって遊技機島にパーテーションを設置できるので、遊技機島用パーテーションを遊技機島に設置する際、遊技機を遊技機島から取り外す必要がない。そのため、低コストで遊技機島用パーテーションを既存の遊技機島に設置できる。
【０００７】
また、パーテーション本体を縦溝の奥へスライドさせながら、両縦フレームの一方の貫通穴の間に固定したピンを、スリットを通してパーテーション本体の後端部の長穴に挿通し、ピンを長穴の上端部に当接させる。そしてパーテーション本体の後端部の他方の貫通穴と両縦フレームの他方の貫通穴に縦フレームの外側からピンを挿通することにより、パーテーション本体を支持フレームに組み付けることができる。
【０００８】
本発明によれば、パーテーション本体の後端部に形成した上下２箇所の貫通穴と縦フレームに形成した上下２箇所の貫通穴を位置合わせしてパーテーション本体を支持フレームに組み付ける際、スリットを通して長穴に形成した貫通穴にピンを挿通し、長穴の上端部に当接させることにより、パーテーション本体の貫通穴と縦フレームの貫通穴との位置合わせができる。そのため重量のあるパーテーション本体の支持フレームへの組み付け作業が容易になる。
【図面の簡単な説明】
【０００９】
【図１】本発明の第１実施例に係る遊技機島用パーテーションを示す斜視図である。
【図２】同パーテーションのスリットを示す部分拡大図である。
【図３】プッシュリベットを示す斜視図である。
【図４】同プッシュリベットを示す斜視図である。
【図５】図２の５−５線から切断した断面図である。
【図６】同パーテーションを設置した遊技機島を示す説明図である。
【実施例１】
【００１０】
以下に本発明を図面に基づき説明するに、図１には本発明の実施例に係る遊技機島用パーテーション１０が示されている。当該パーテーション１０は透明なアクリル樹脂板製のパーテーション本体１１と、支持フレーム１２を備えている。
【００１１】
パーテーション本体１１は上下両辺と前後両辺及び前辺と下辺を結ぶ斜辺から成る略５角形を有し、パーテーション本体１１の後端部には、上部角隅部と中間部及び下部角隅部のそれぞれに貫通穴１１ａ，１１ｂ，１１ｃが形成されている。上部の貫通穴１１ａは丸穴に形成されている。図２に示すように、中間部の貫通穴１１ｂは縦の長穴に形成されている。また、下部の貫通穴１１ｃは中間部の貫通穴１１ｂと同じ長穴に形成されている。パーテーション本体１１の後端部の中間部と下部角隅部にはパーテーション本体１１の後端面からそれぞれ中間部の貫通穴１１ｂの下端部と下部の貫通穴１１ｃの下端部に達するスリット１１ｄが形成されている。
【００１２】
支持フレーム１２はベースフレーム１２ａと、ベースフレーム１２ａに一体的に立設した２本の縦フレーム１２ｂ，１２ｃからなり、両縦フレーム１２ｂ，１２ｃで縦溝１２ｄが区画形成されている。一方の縦フレーム１２ｂはベースフレーム１２ａの一方の側縁に立設され、他方の縦フレーム１２ｃはベースフレーム１２ａの中間部に立設されている。また、一方の縦フレーム１２ｂの幅寸法は他方の縦フレーム１２ｃの幅寸法より短く設定されている。各縦フレーム１２ｂ，１２ｃとベースフレーム１２ａとの接合部１２ｆは厚みを増して補強されている。
【００１３】
両縦フレーム１２ｂ，１２ｃの上端部、中間部及び下端部にはそれぞれ丸穴の貫通穴１２ｅが形成されている。図２及び図３に拡大して図示するように、中間部の貫通穴１２ｅには縦溝１２ｄを横切るようにピン１３が挿通され、ピン１３の端部がそれぞれ貫通穴１２ｅに固着されている。同じく、下端部の貫通穴１２ｅにもピン１３が固着されている。
中間部の貫通穴１２ｅには縦溝１２ｄを横切るようにプッシュリベット１３が挿通され、貫通穴１２ｅに固着されている。このプッシュリベット１３は図３、図４及び図５に示すように、リベットピン１３ａとプッシュノブ１３ｂから構成されている。リベットピン１３ａは貫通穴１３ｃを形成した筒軸構造を備え、前端外周部に４本のスリット１３ｄが形成され、後端部にフランジ部１３ｅが形成されている。一方、プッシュノブ１３ｂの内端面にはリベットピン１３ａのフランジ部１３ｅが嵌合する円形凹部１３ｆが形成され、円形凹部の中心部にプッシュロッド１３ｇが突出して設けられている。プッシュロッド１３ｇの先端部はリベットピン１３ａの貫通穴１３ｃにフランジ部１３ｅの側から挿入されている。図５に示すように、プッシュリベット１３のリベットピン１３ａを縦フレーム１２ｂ，１２ｃの貫通穴１２eに挿入し、リベットピン１３ａのフランジ部１３ｅがプッシュノブ１３ｂの円形凹部１３ｆに嵌合するまでプッシュノブ１３ｂをリベットピン１３ａに押し込むと、プッシュロッド１３ｇの先端がリベットピン１３ａの貫通穴１３ｃから外部に突出し、リベットピン１３ａの前端外周部がスリット１３ｄから拡開する。そのため、リベットピン１３ａが縦フレーム１２ｂ，１２ｃの貫通穴１２ｅから抜けなくなる。このようにして、プッシュリベット１３が縦フレーム１２ｂ，１２ｃの中間部の貫通穴１２ｅに固着されている。
同じく、下端部の貫通穴１２ｅにもプッシュリベット１３が固着されている。ベースフレーム１２ａの裏面には両面接着テープが貼着されている。
【００１４】
図６に示すように、遊技機２１は遊技機島２０を構成する縦柱２２と縦柱２２で区画された領域に一台ずつ設置されている。パーテーション１０は遊技機２１と遊技機２１の間に配設されている縦柱２２に両面テープ１４で支持フレーム１２のベースフレーム１２ａを接着して固定し、この支持フレーム１２にパーテーション本体１１が組み付けられている。
【００１５】
パーテーション本体１１を支持フレーム１２に組み付けるには、パーテーション本体１１の後端部を幅の広い縦フレーム１２ｃに沿って縦溝１２ｄに挿入する。このとき、図２に示すように、上下２箇所のスリット１１ｄをリベットピン１３ａが通過するようにパーテーション本体１１の後端部を縦溝１２ｄの奥へスライドさせることにより、リベットピン１３ａをパーテーション本体１１の貫通穴１１ｂ，１１ｃに挿通する。そして、リベットピン１３ａがパーテーション本体１１の貫通穴１１ｂ，１１ｃの上端部に当接するようにパーテーション本体１１を縦溝１２ｄに沿って下方へスライドさせる。パーテーション本体１１の中間部の貫通穴１１ｂの上端部と下部の貫通穴１１ｃの上端部にリベットピン１３ａが当接すると、パーテーション本体１１の上部の貫通穴１１ａと両縦フレーム１２ｂ，１２ｃの上部の貫通穴１２ｅが整合するので、整合した貫通穴１１ａ，１２ｅにプッシュリベット１３を挿通する。し、ナット１６を締め付ける。これによりパーテーション本体１１が支持フレーム１２に一体に組み付けられる。
【００１６】
本実施例に係る遊技機島用パーテーション１０の構造は以上の通りであって、パーテーション本体１１を隣接する遊技機２１と遊技機２１の間に設置することにより、左右のパーテーション１０によって遊技機２１ごとに遊技空間が区画形成されるので、隣の遊技機２１から聞こえる音声が小さくなり、また、隣の遊技者のタバコの煙を遮断できる。
【００１７】
本実施例に係る遊技機島用パーテーション１０によれば、遊技機２１を遊技機島２０から取り外すことなく、支持フレーム１２を遊技機島２０の縦柱２２に固定する作業と、固定した支持フレーム１２の貫通穴１２ｅとパーテーション本体１１の貫通穴１１ａ，１１ｂ，１１ｃにプッシュリベット１３を挿通する作業によって遊技機島２０に遊技機島用パーテーション１０を設置できる。そのため、低コストで遊技機島用パーテーション１０を既存の遊技機島２０に設置できる。
【００１８】
一方の縦フレーム１２ｂの幅寸法を他方の縦フレーム１２ｃの幅寸法より短くしたので、パーテーション本体１１の後端部を縦溝１２ｄに嵌合するとき、後端部を幅の長い縦フレーム１２ｃに沿って縦溝１２ｄに滑り込ませることができ、パーテーション本体１１の縦溝１２ｄへの組み付け作業が容易に実施できる。
【００１９】
パーテーション本体１１の後端部に形成した上下３箇所の貫通穴１１ａ，１１ｂ，１１ｃと縦フレーム１２ｂ，１２ｃに形成した上下６箇所の貫通穴１２ｅを位置合わせしてパーテーション本体１１を支持フレーム１２に組み付ける際、スリット１１ｄを通してパーテーション本体１１の貫通穴１１ｂ，１１ｃにリベットピン１３ａを挿通し、リベットピン１３ａを中間部と下部の貫通穴１１ｂ，１１ｃの上端部に当接させると、パーテーション本体１１の上端部の貫通穴１１ａと縦フレームの上端部の貫通穴１２ｅの位置合わせができる。そのため重量のあるパーテーション本体１１の支持フレーム１２への組み付け作業が容易になる。
【００２０】
両面接着テープ１４で支持フレーム１２を遊技機島２０の縦柱２２に固定するので、既存の遊技機島２０を改変しなくても簡単に遊技機島用パーテーション１０を設置できる。
【符号の説明】
【００２１】
１０…遊技機島用パーテーション
１１…パーテーション本体
１１ａ…丸穴の貫通穴
１１ｂ，１１ｃ…長穴の貫通穴
１１ｄ…スリット
１２…支持フレーム
１２ａ…ベースフレーム
１２ｂ，１２ｃ…縦フレーム
１２ｄ…縦溝
１２ｅ…貫通穴
１３…プッシュリベット
１３ａ…リベットピン
１３ｂ…プッシュノブ
１４…両面接着テープ
２０…遊技機島
２１…遊技機
２２…遊技機島の縦柱
【図１】
0005458149.tif 000002
【図２】
0005458149.tif 000003
【図３】
0005458149.tif 000004
【図４】
0005458149.tif 000005
【図５】
0005458149.tif 000006
【図６】
0005458149.tif 000007